(57)【要約】      （修正有）【課題】信頼性を向上させた半導体パッケージの製造方法を提供する。【解決手段】本発明の半導体パッケージ１００の製造方法は、少なくとも１つの半導体チップ３０をパッケージ基板１０上に実装し、パッケージの上部面上の導電パッド１４ａ、１４ｂとインターポーザＩＰの下部面の導電パッド５２とを連結して、これらの間を電気的に連結する導電連結部材５９が形成される領域に１つ以上の突出部を定義する少なくとも１つのリセスを有する半導体チップの側面に絶縁モールド膜を形成し、インターポーザを絶縁モールド膜の突出部上に位置させ、アンダーフィル樹脂膜をＩＰとパッケージ基板との間の残る空間内に注入する段階を有する。突出部は、ＩＰの下部面とパッケージ基板の上部面との間の垂直間隔を定義することによって垂直方向にＩＰを位置させ、またＩＰを水平方向に位置させて、パッケージ基板にＩＰを連結する際に実質的な移動を防止する。【選択図】図２
2019021923.tif 000002
【特許請求の範囲】
【請求項１】
第１基板の上部面に形成された複数の第１導電パッドに複数の第１導電バンプをそれぞれ付着する段階と、
下部面の複数の第２導電パッドにそれぞれ付着された複数の第２導電バンプを有するインターポーザを準備する段階と、
前記第１基板に第１半導体チップをフリップチップ実装して前記第１基板の上部面に形成された第３導電パッドに前記第１半導体チップを連結する段階と、
前記第１基板の上部面上に前記第１半導体チップの上部面と少なくとも同一高さの上部面を有するように前記第１半導体チップの側壁に沿って延長される絶縁モールド膜を形成して前記第１導電バンプを覆って囲む段階と、
前記絶縁モールド膜をエッチングして前記絶縁モールド膜内にリセスを形成し、前記エッチングされた絶縁モールド膜に形成されて上方に延長される突出部を定義し、前記第１導電バンプを露出させる段階と、
前記第１基板上に前記インターポーザを位置させ、前記突出部の上部面に接する前記インターポーザの下部面の複数の第２導電バンプの各々が前記複数の第１導電バンプの中の対応する第１導電バンプに接して前記第１導電バンプと前記第２導電バンプとの複数の接合対を形成する段階と、
リフロー工程を進行し、前記第１導電バンプと前記第２導電バンプとの複数の接合対をそれぞれ統合して、各々が前記第１基板の上部面上の対応する第１導電パッドと前記インターポーザの下部面の対応する第２導電パッドとの間に延長される複数の導電連結部材を形成する段階と、
前記インターポーザと前記第１基板との間の空間にアンダーフィル樹脂を流動させて前記導電連結部材を囲んでカプセル化する段階と、
前記第１基板を切断して、前記第１半導体チップと前記インターポーザに接する前記突出部の少なくとも一部とを含む半導体パッケージを形成する段階と、を有することを特徴とする半導体パッケージの製造方法。
【請求項２】
前記突出部は、
前記第１半導体チップの側壁の中の少なくとも１つに沿って延長される第１突出部と、
前記第１基板を切断する時に切断されて前記半導体パッケージの側壁の部分を形成する側壁を有する第２突出部と、を含むことを特徴とする請求項１に記載の半導体パッケージの製造方法。
【請求項３】
前記半導体パッケージの縦端面において、前記リセスは、前記第１突出部と前記第２突出部との間に連続的に延長される部分を含むことを特徴とする請求項２に記載の半導体パッケージの製造方法。
【請求項４】
前記半導体パッケージの縦端面において、前記複数の導電連結部材の中の第１導電連結部材は、前記第２突出部に隣接し、前記第１導電連結部材の最大水平幅の５０％以下で前記第２突出部から水平方向に離隔されることを特徴とする請求項３に記載の半導体パッケージの製造方法。
【請求項５】
前記半導体パッケージの縦端面において、前記複数の導電連結部材の中の第２導電連結部材は、前記第１突出部に隣接し、前記第２導電連結部材と前記第１突出部との間に他の導電連結部材が位置せず、前記第１突出部から少なくとも前記第２導電連結部材の最大水平幅で水平方向に離隔されることを特徴とする請求項４に記載の半導体パッケージの製造方法。
【請求項６】
前記絶縁モールド膜を形成して前記第１導電バンプを覆って囲む段階の後、及び前記第１基板上に前記インターポーザを位置させる段階の前に、前記リセスの底面に複数の分離されたホールを形成して前記第１導電バンプを露出させる段階を更に含むことを特徴とする請求項３に記載の半導体パッケージの製造方法。
【請求項７】
前記複数の導電連結部材の各々は、前記複数の分離されたホールの対応するホール内に位置して前記対応するホールの側壁から離隔されることを特徴とする請求項６に記載の半導体パッケージの製造方法。
【請求項８】
前記半導体パッケージの上部平面において、前記複数の分離されたホールの各々は、前記ホール内に位置する対応する前記導電連結部材の模様に適合する形状を有することを特徴とする請求項７に記載の半導体パッケージの製造方法。
【請求項９】
前記複数の分離されたホールを形成する段階の後に、及び前記リフロー工程を進行する段階の前に、前記複数の分離されたホールの中の少なくとも１つのホールの側壁は、前記ホール内に形成された第１導電バンプの最上部表面よりも高く延長されることを特徴とする請求項８に記載の半導体パッケージの製造方法。
【請求項１０】
前記半導体パッケージの上部平面において、前記リセスは、前記第１半導体チップを囲むことを特徴とする請求項１に記載の半導体パッケージの製造方法。
【請求項１１】
前記半導体パッケージの縦端面において、
前記突出部は、
前記第１半導体チップの両側壁に沿って延長される２つの第１突出部と、
前記半導体パッケージの両側壁に形成される２つの第２突出部と、を含むことを特徴とする請求項１に記載の半導体パッケージの製造方法。
【請求項１２】
前記半導体パッケージの縦端面において、前記第２突出部の各々は、前記複数の導電連結部材の中の対応する導電連結部材から前記対応する導電連結部材の最大水平幅の５０％以下で水平方向に離隔されることを特徴とする請求項１１に記載の半導体パッケージの製造方法。
【請求項１３】
前記第２突出部の中の１つの突出部は、第１方向に延長される水平幅を有する第１部分と前記第１方向に直交する第２方向に延長される水平幅を有する第２部分とを有し、
前記１つの突出部の前記第１部分と前記第２部分とは、前記半導体パッケージの角で統合される（ｍｅｒｇｅ）ことを特徴とする請求項１１に記載の半導体パッケージの製造方法。
【請求項１４】
前記１つの突出部の前記第１部分及び前記第２部分の外部対向側壁は、前記半導体パッケージの対応する側壁の部分を形成することを特徴とする請求項１３に記載の半導体パッケージの製造方法。
【請求項１５】
前記半導体パッケージの上部平面において、前記１つの突出部は、前記第１部分及び第２部分の外部対向側壁にそれぞれ対向する前記第１部分及び第２部分の内部対向側壁によって形成される内部角を有する‘Ｌ’字形状を有することを特徴とする請求項１４に記載の半導体パッケージの製造方法。
【請求項１６】
前記半導体パッケージの上部平面において、前記複数の導電連結部材は、前記‘Ｌ’字形状の１つの突出部の内部角に隣接するように位置する角を含む配列の境界から２次元的に規則的に離隔されることを特徴とする請求項１５に記載の半導体パッケージの製造方法。
【請求項１７】
前記配列の境界は、前記１つの突出部の前記第１部分の内部対向側壁から前記配列の境界が離隔される距離で前記１つの突出部の前記第１部分の内部対向側壁から離隔されることを特徴とする請求項１６に記載の半導体パッケージの製造方法。
【請求項１８】
前記半導体パッケージの上部平面において、前記内部対向側壁は、１つ以上の凹んだ部分を含み、前記凹んだ部分の各々は、対応する導電連結部材に隣接するように位置することを特徴とする請求項１５に記載の半導体パッケージの製造方法。
【請求項１９】
前記半導体パッケージの上部平面において、前記凹んだ部分の各々は、対応する導電連結部材から離隔されて前記対応する導電連結部材に対してコンフォーマルに形成された空間を提供することを特徴とする請求項１８に記載の半導体パッケージの製造方法。
【請求項２０】
前記半導体パッケージの上部平面において、前記内部対向側壁は、波動模様のプロフィールを有する側壁を含むことを特徴とする請求項１５に記載の半導体パッケージの製造方法。
【請求項２１】
前記波動模様のプロフィールの溝は、対応する導電連結部材の位置に対応し、
前記波動模様のプロフィールの頂点は、対応する導電連結部材の間の位置に対応することを特徴とする請求項２０に記載の半導体パッケージの製造方法。
【請求項２２】
前記半導体パッケージの縦端面において、
前記突出部は、互いに第１距離で離隔された２つの第２突出部を含み、
前記複数の第２導電バンプは、前記２つの第２突出部の中の１つに隣接して位置する１つの第２導電バンプと、前記２つの第２突出部の中の残りの１つに隣接して位置する他の第２導電バンプを含み、
前記１つの第２導電バンプは、前記他の第２導電バンプから第２距離で離隔され、
前記第１距離と前記第２距離との差は、前記第２導電バンプの最大水平幅の２倍以下であることを特徴とする請求項１に記載の半導体パッケージの製造方法。
【請求項２３】
前記１つの第２導電バンプと前記他の第２導電バンプとは、前記２つの第２突出部の間に位置することを特徴とする請求項２２に記載の半導体パッケージの製造方法。
【請求項２４】
前記２つの第２突出部は、前記他の第２導電バンプと前記１つの第２導電バンプとの間に位置することを特徴とする請求項２３に記載の半導体パッケージの製造方法。
【請求項２５】
前記突出部の中の１対の突出部は、前記１対の突出部の間に介在する２つの前記第２導電バンプの間の距離に関連する第１距離で第１水平方向に離隔されて前記インターポーザが前記第１基板上に位置される時、前記第１水平方向に前記第２導電バンプが不正確に位置されることを防止することを特徴とする請求項１に記載の半導体パッケージの製造方法。
【発明の詳細な説明】
【技術分野】
【０００１】
本発明は、半導体パッケージの製造方法に関する。
【背景技術】
【０００２】
電子産業の発達に伴い、電子部品の高機能化、高速化、及び小型化の要求が増大している。このような趨勢に対応して、現在の半導体実装技術は、１つのパッケージ基板に様々な半導体チップを積層して実装するか、或いはパッケージ上にパッケージを積層する方法が開発されている。パッケージ上にパッケージを積層する構造をパッケージオンパッケージ（Ｐａｃｋａｇｅ  ｏｎ  ｐａｃｋａｇｅ：ＰｏＰ）と称する。また、インターポーザをパッケージ上に実装するインターポーザＰｏＰ構造もある。
【先行技術文献】
【特許文献】
【０００３】
【特許文献１】米国特許第８，０７６，７６５号明細書
【特許文献２】米国特許第８，２１７，５０２号明細書
【特許文献３】米国特許第８，２４７，８９４号明細書
【特許文献４】米国特許第８，５４１，２６１号明細書
【特許文献５】米国特許第８，７９３，８６８号明細書
【特許文献６】米国特許第８，８１０，０２４号明細書
【特許文献７】米国特許第９，３４３，３８６号明細書
【特許文献８】米国特許第９，５７０，３８２号明細書
【特許文献９】米国特許出願公開第２００８／００１７９６８号明細書
【特許文献１０】米国特許出願公開第２０１５／０２８７６８１号明細書
【発明の概要】
【発明が解決しようとする課題】
【０００４】
本発明は、上記従来技術に鑑みてなされたものであって、本発明の目的は、信頼性を向上させた半導体パッケージの製造方法を提供することにある。
【課題を解決するための手段】
【０００５】
上記目的を達成するためになされた本発明の一態様による半導体パッケージの製造方法は、第１基板の上部面に形成された複数の第１導電パッドに複数の第１導電バンプをそれぞれ付着する段階と、下部面の複数の第２導電パッドにそれぞれ付着された複数の第２導電バンプを有するインターポーザを準備する段階と、前記第１基板に第１半導体チップをフリップチップ実装して前記第１基板の上部面に形成された第３導電パッドに前記第１半導体チップを連結する段階と、前記第１基板の上部面上に前記第１半導体チップの上部面と少なくとも同一高さの上部面を有するように前記半導体チップの側壁に沿って延長される絶縁モールド膜を形成して前記第１導電バンプを覆って囲む段階と、前記絶縁モールド膜をエッチングして前記絶縁モールド膜内にリセスを形成し、前記エッチングされた絶縁モールド膜に形成されて上方に延長される突出部を定義し、前記第１導電バンプを露出させる段階と、前記第１基板上に前記インターポーザを位置させ、前記突出部の上部面に接する前記インターポーザの下部面の前記複数の第２導電バンプの各々が前記複数の第１導電バンプの中の対応する第１導電バンプに接して前記第１導電バンプと前記第２導電バンプとの複数の接合対を形成する段階と、リフロー工程を進行し、前記第１導電バンプと前記第２導電バンプとの複数の接合対をそれぞれ統合（ｍｅｒｇｅ）して、各々が前記第１基板の上部面上の対応する第１導電パッドと前記インターポーザの下部面の対応する第２導電パッドとの間に延長される複数の導電連結部材を形成する段階と、前記インターポーザと前記第１基板との間の空間にアンダーフィル樹脂を流動させて前記導電連結部材を囲んでカプセル化する段階と、前記第１基板を切断して、前記第１半導体チップと前記インターポーザに接する前記突出部の少なくとも一部とを含む前記半導体パッケージを形成する段階と、を有する。
【０００６】
一実施形態による半導体パッケージは、上部面に第１導電パッド及び第３導電パッドを含む第１基板と、下部面に第２導電パッドを有するインターポーザと、前記第１基板の上部面にフリップチップ実装されて前記第１基板の上部面の前記第３導電パッドに電気的に連結される第１半導体チップと、前記インターポーザの下部面と前記第１基板の上部面との間に延長され、前記第１半導体チップの上部面と少なくとも同一高さの上部面を有して前記第１半導体チップの側壁に沿って延長された部分を含む絶縁モールド膜と、を有し、、前記絶縁モールド膜は、下部面に複数のホールを含むリセスを含んで前記絶縁モールド膜内に前記インターポーザの下部面に接して上方に延長される突出部を定義し、前記対応するホール内に位置する複数の導電連結部材の各々は、前記第１基板の上部面の対応する第１導電パッドと前記インターポーザの下部面の対応する第２導電パッドとの間に延長され、前記第１基板と前記インターポーザとの間の前記リセスを満たして前記第１導電パッドと前記第２導電パッドとを電気的に連結する前記導電連結部材を囲むアンダーフィル樹脂を有する。
【０００７】
前記突出部は、前記インターポーザの下部面の前記第２導電バンプの間隔に相関する間隔を有し、前記インターポーザを前記第１基板に連結する際に、前記インターポーザをガイドする。
前記導電連結部材は、前記突出部の間隔に相関して同様に位置する。
【発明の効果】
【０００８】
本発明によれば、アンダーフィル樹脂膜内のボイドの発生が低く、隣接する連結部材の間の接触を防止して信頼性を向上させた半導体パッケージを提供することができる。
【図面の簡単な説明】
【０００９】
【図１】本発明の第１実施形態による半導体パッケージの平面図である。
【図２】図１のＩ−Ｉ’線に沿って切断した断面図である。
【図３】図１のＩＩ−ＩＩ’線に沿って切断した断面図である。
【図４】図１の半導体パッケージの斜視図である。
【図５】図４の部分斜視図である。
【図６】本発明の一実施形態による半導体パッケージの断面図である。
【図７】図６の‘Ｐ１’の部分を拡大した図である。
【図８】図６の‘Ｐ２’の部分を拡大した図である。
【図９】図１の半導体パッケージの製造工程を順次的に示す断面図である。
【図１０】図１の半導体パッケージの製造工程を順次的に示す断面図である。
【図１１】図１の半導体パッケージの製造工程を順次的に示す断面図である。
【図１２】図１の半導体パッケージの製造工程を順次的に示す断面図である。
【図１３】図１の半導体パッケージの製造工程を順次的に示す断面図である。
【図１４】図１の半導体パッケージの製造工程を順次的に示す断面図である。
【図１５】図１の半導体パッケージの製造工程を順次的に示す断面図である。
【図１６】本発明の第２実施形態による半導体パッケージの平面図である。
【図１７】図１６の半導体パッケージの上部斜視図である。
【図１８】本発明の第３実施形態による半導体パッケージの平面図である。
【図１９】図１８のＩＩＩ−ＩＩＩ’線に沿って切断した断面図である。
【図２０】本発明の第４実施形態による半導体パッケージの平面図である。
【図２１】本発明の第５実施形態による半導体パッケージの平面図である。
【図２２】本発明の第６実施形態による半導体パッケージの断面図である。
【発明を実施するための形態】
【００１０】
以下、本発明を実施するための形態の具体的例を、図面を参照しながら詳細に説明する。
【００１１】
本明細書で、１つの構成要素が他の構成要素に連結されるか、結合されるか、又は上にあると言及する場合、これは直接連結されるか、結合されるか、上にあるか、又はその間に他の構成要素が介在することを意味する。反対に、１つの構成要素が他の構成要素に接する（又は直接連結されるか、又は直接結合される）と言及する場合、これはそれらの間に介在する構成要素がないことを意味する。
【００１２】
本明細書で使用する“同じである”、“同一である”、“平坦である”、又は“共面をなす”という用語は、例えば製造工程によって発生する変動を含んで概ね同一であることを含むことを理解すべきである。本明細書で“実質的に”という用語は、文脈又は他の説明が異なることを示さない限り、この意味を強調するために本明細書で使用される。
【００１３】
文脈で異なって指示されない限り、本明細書で使用する“幅”は典型的に横方向に要素の最大寸法を指称する（例えば、円錐の幅は異なって明示されない限り、円錐の直径を示す）。また、文脈で異なって明示されない限り、２つの要素間の間隔は通常的に２つの要素間の最小間隔を意味する（例えば、平面上で基底部を有する２つの円錐間の間隔は円錐基底部間の最小距離を意味し、（異なって明示された文脈を除いては）円錐頂点間の間隔を意味しない。
【００１４】
図１は、本発明の第１実施形態による半導体パッケージの平面図であり、図２は、図１のＩ−Ｉ’線に沿って切断した断面図、図３は、図１のＩＩ−ＩＩ’線に沿って切断した断面図、図４は、図１の半導体パッケージの斜視図、図５は、図４の部分斜視図である。特に、図５はモールド膜１８の立体構造を示す。
【００１５】
図１〜図５を参照すると、本実施形態による半導体パッケージ１００は下部パッケージＬＰ上にインターポーザＩＰが積層された構造を有する。下部パッケージＬＰは第１基板１０及び第１基板１０上に実装された半導体チップ３０を含む。第１基板１０は、例えばエポキシ樹脂やポリイミドのような複数層の絶縁物質で形成される基板コア１０ａ及びこれらの間に介在する複数の配線層を含んで半導体パッケージ１００の外部にある装置と半導体チップ３０との間の電気的連結を提供する。
【００１６】
第１基板１０は第１下部導電パッド１２を含む。第１基板１０は下部面に配置された第１下部絶縁膜１１ａを含む。第１基板１０の上部面には互いに離隔された第１上部導電パッド１４ａと第２上部導電パッド１４ｂとが配置される。第１基板１０の上部面は第１上部絶縁膜１１ｂを含む。図示していないが、基板コア１０ａの配線層及び基板コア１０ａの隣接する配線層を連結する導電ビアは、第１下部導電パッド１２と第１上部導電パッド１４ａ及び第２上部導電パッド１４ｂとを互いに電気的に連結するための回路連結ラインを形成する。第１下部導電パッド１２にはソルダボールのような外部端子２２が付着される。外部端子２２は、錫（Ｓｎ）、鉛（Ｐｂ）、ニッケル（Ｎｉ）、金（Ａｕ）、銀（Ａｇ）、銅（Ｃｕ）、又はビスマス（Ｂｉ）の中の少なくとも１つの金属を含む。
【００１７】
半導体チップ３０は第１上部導電パッド１４ａに半導体チップ３０のチップパッド（図示せず）に連結された内部端子５３（例えば、ソルダボールや端子のような導電バンプ）を利用してフリップチップボンディング方式で実装される。内部端子５３は、錫（Ｓｎ）、鉛（Ｐｂ）、ニッケル（Ｎｉ）、金（Ａｕ）、銀（Ａｇ）、銅（Ｃｕ）、又はビスマス（Ｂｉ）の中の少なくとも１つの金属を含む。第１基板１０はモールド膜１８で覆われる。モールド膜１８は、例えばエポキシ系物質で形成される。モールド膜１８は内部端子５３の間及び半導体チップ３０と第１上部絶縁膜１１ｂとの間の空間を満たす。モールド膜１８は、第１基板１０を覆う主要部１８ｍ、主要部１８ｍから突出する第１〜第３突出部（１８ｐ１、１８ｐ２、１８ｐ３）を含む。少なくとも第２及び第３突出部（１８ｐ２、１８ｐ３）はインターポーザＩＰに接する。
【００１８】
第１〜第３突出部（１８ｐ１、１８ｐ２、１８ｐ３）の上部面は同じ高さを有する。第１〜第３突出部（１８ｐ１、１８ｐ２、１８ｐ３）の上部面は半導体チップ３０の上部面と同じ高さを有する。第１〜第３突出部（１８ｐ１、１８ｐ２、１８ｐ３）の上部面は主要部１８ｍの上部面よりも突出する。第１〜第３突出部（１８ｐ１、１８ｐ２、１８ｐ３）の側面と主要部１８ｍの上部面はリセスされた領域の内面をなす。また、モールド膜１８は第１〜第３突出部（１８ｐ１、１８ｐ２、１８ｐ３）の上部面及び側面と主要部１８ｍの上部面によって階段状の表面を有する。
【００１９】
第１突出部１８ｐ１は、半導体チップ３０の上部側面に接し、半導体チップ３０を囲む。第２突出部１８ｐ２は平面的に‘Ｌ’字形状を有する。第２突出部１８ｐ２は各々第１基板１０の角に隣接するように配置される。第３突出部１８ｐ３は柱形状である。第３突出部１８ｐ３は第１基板１０側壁の中心部分に隣接するように配置される。
【００２０】
主要部１８ｍには複数のホール１８ｈが形成される。ホール１８ｈは第２上部導電パッド１４ｂを露出させる。ホール１８ｈの間には主要部１８ｍの一部であるホール分離部１８ｆが配置される。ホール分離部１８ｆはモールド膜１８ｄの一部で形成される。ホール１８ｈ内には各々第１基板１０とインターポーザＩＰとを電気的に連結させる導電連結部材５９が配置される。導電連結部材５９は、電気的に導電性であり、錫（Ｓｎ）、鉛（Ｐｂ）、ニッケル（Ｎｉ）、金（Ａｕ）、銀（Ａｇ）、銅（Ｃｕ）、又はビスマス（Ｂｉ）の中の少なくとも１つの金属を含む。
【００２１】
インターポーザＩＰは第２基板５０を含む。第２基板５０は、例えばエポキシ樹脂やポリイミドのような絶縁物質を含む。第２基板５０の下部面には導電連結部材５９に接する第２下部導電パッド５２が配置される。第２基板５０の上部面には第３上部導電パッド５４が配置される。第２基板５０の下部面は第２下部絶縁膜５１ａで覆われる。第２基板５０の上部面は第２上部絶縁膜５１ｂで覆われる。インターポーザＩＰは第１基板１０と類似な構造を有する。例えば、第２基板５０の内部には回路連結ライン（インターポーザＩＰの隣接する絶縁膜（例えば、ポリイミド膜）の間に介在する）及び複数の配線を形成するビアが配置されて第２下部導電パッド５２と第３上部導電パッド５４との各対を電気的に連結する。絶縁膜（１１ａ、１１ｂ、５１ａ、５１ｂ）は、例えばポリイミドで形成される。
【００２２】
モールド膜１８の主要部１８ｍの上部面と第２下部絶縁膜５１ａとの間の空間はアンダーフィル樹脂膜２０で満たされる。アンダーフィル樹脂膜２０はエポキシ系物質で形成される。アンダーフィル樹脂膜２０はホール１８ｈの内側壁と導電連結部材５９との間の空間も満たす。アンダーフィル樹脂膜２０は導電連結部材５９の間の空間も満たす。アンダーフィル樹脂膜２０は導電連結部材５９と第２及び第３突出部１８（ｐ２、１８ｐ３）との間の空間も満たす。
【００２３】
第１〜第３突出部（１８ｐ１、１８ｐ２、１８ｐ３）はインターポーザＩＰを支持する支持台の役割をする。第１突出部１８ｐ１は半導体チップ３０の側面を囲み、半導体パッケージ１００の製造工程中の半導体チップ３０の側面を保護する役割をする。第２突出部１８ｐ２は、第１基板１０の角に隣接するように配置される導電連結部材５９に隣接して、半導体パッケージ１００の製造工程中のインターポーザＩＰの第１方向Ｄ１及び第１方向Ｄ１に直交する第２方向Ｄ２への摺動を防止して半導体パッケージ１００の信頼性を向上させる。第３突出部１８ｐ３は第２方向Ｄ２に対向する第１基板１０の側壁に隣接するように配置されて半導体パッケージ１００の製造工程中のインターポーザＩＰの第２方向Ｄ２への摺動を防止して半導体パッケージ１００の信頼性を向上させる。
【００２４】
図６は、本発明の一実施形態による半導体パッケージの断面図であり、図７及び図８は、それぞれ図６の‘Ｐ１’と‘Ｐ２’部分を拡大した図である。
【００２５】
図２及び図３で、インターポーザＩＰは曲がり（ｗａｒｐａｇｅ）現象無しで半導体チップ３０及び第１突出部１８ｐ１に接する。しかし、インターポーザＩＰは図６〜図８に示すように微細に曲がる。従って、アンダーフィル樹脂膜２０は第１突出部１８ｐ１とインターポーザＩＰとの間及び半導体チップ３０とインターポーザＩＰとの間（例えば、インターポーザＩＰの曲がりによる半導体チップ３０上のインターポーザＩＰの隆起部分）に介在する。この場合、半導体チップ３０とインターポーザＩＰとの間のアンダーフィル樹脂膜２０の第１厚さＴ１は望ましくは約１０μｍ以下である。例えば第１厚さＴ１は約５〜１０μｍである。
【００２６】
モールド膜１８は位置によって異なる表面粗さを有する。具体的に、第１〜第３突出部（１８ｐ１、１８ｐ２、１８ｐ３）の上部面（１８ｐ１ｕ、１８ｐ２ｕ、１８ｐ３ｕ）はモールド膜１８の他の部分よりも小さい表面粗さを有する。即ち、第１〜第３突出部（１８ｐ１、１８ｐ２、１８ｐ３）の上部面（１８ｐ１ｕ、１８ｐ２ｕ、１８ｐ３ｕ）は第１〜第３突出部（１８ｐ１、１８ｐ２、１８ｐ３）の側壁（１８ｐ１ｓ、１８ｐ２ｓ、１８ｐ３ｓ）よりも小さい表面粗さを有する。また、第１〜第３突出部（１８ｐ１、１８ｐ２、１８ｐ３）の上部面（１８ｐ１ｕ、１８ｐ２ｕ、１８ｐ３ｕ）は、主要部１８ｍの上部面１８ｍｕと側壁１８ｍｓ、ホール分離部１８ｆの上部面１８ｆｕ、及びホール分離部１８ｆの側壁１８ｆｓよりも小さい表面粗さを有する。反面、第１〜第３突出部（１８ｐ１、１８ｐ２、１８ｐ３）の上部面（１８ｐ１ｕ、１８ｐ２ｕ、１８ｐ３ｕ）を除外したモールド膜１８の他の部分は同一又は類似の表面粗さを有する。即ち、第１〜第３突出部（１８ｐ１、１８ｐ２、１８ｐ３）の側壁（１８ｐ１ｓ、１８ｐ２ｓ、１８ｐ３ｓ）、主要部１８ｍの上部面１８ｍｕ及び側壁１８ｍｓ、ホール分離部１８ｆの上部面１８ｆｕ、並びにホール分離部１８ｆの側壁１８ｆｓは互いに同一又は類似の表面粗さを有する。
【００２７】
これとは異なり、モールド膜１８は位置に応じて同一又は類似の表面粗さを有してもよい。
【００２８】
ホール１８ｈの内側壁は、ホール分離部１８ｆの側壁１８ｆｓからなるか、又はホール分離部１８ｆの側壁１８ｆｓと主要部１８ｍの側壁１８ｍｓとからなる。主要部１８ｍの側壁１８ｍｓと第１〜第３突出部（１８ｐ１、１８ｐ２、１８ｐ３）の側壁（１８ｐ１ｓ、１８ｐ２ｓ、１８ｐ３ｓ）の中の少なくとも１つは共面をなす。
【００２９】
図示していないが、半導体パッケージ１００で、半導体チップ３０とインターポーザＩＰとの間に熱境界物質膜（Ｔｈｅｒｍａｌ  Ｉｎｔｅｒｆａｃｅ  ｍａｔｅｒｉａｌ）が介在し得る。この場合、第１〜第３突出部（１８ｐ１、１８ｐ２、１８ｐ３）の上部面（１８ｐ１ｕ、１８ｐ２ｕ、１８ｐ３ｕ）が熱境界物質膜の上部面と同一の高さを有する。或いは、熱境界物質膜は第１突出部１８ｐ１とインターポーザＩＰとの間に介在する。この場合、アンダーフィル樹脂膜２０の上部面が熱境界物質膜の上部面と同一の高さを有する。熱境界物質膜は、例えばシリコン系列の物質を含み、アンダーフィル樹脂膜２０及びモールド膜１８よりも更に速い速度で熱を伝導する。
【００３０】
次に、本発明の一実施形態による半導体パッケージの製造方法について説明する。
【００３１】
図９〜図１２、図１３、図１４、及び図１５は、図１の半導体パッケージの製造工程を順次的に示す断面図である。
【００３２】
図９を参照すると、複数のチップ領域（図１５の領域Ａ参照）を含む第１基板１０を準備する。但し、２つのチップ領域の２つのチップを図面に示したが、追加的なチップ領域が形成される。また、チップ領域は、２次元行列（例えば、平面斜視図で列方向及び行方向に延びる）に配列され、（例えば、水平方向に互いに隣接する）領域毎に多数のチップを含む。第１基板１０の第１上部導電パッド１４ａ上にソルダボールのような内部端子５３を利用して半導体チップ３０をフリップチップボンディング方式で実装する。一例として、（例えば、半導体チップのスタックを含む）半導体パッケージの形態で、半導体装置が各半導体チップ３０の代わりに実装される。第１基板１０の第２上部導電パッド１４ｂ上にソルダボールやピラーのような第１導電バンプ１７をボンディングする。第１導電バンプ１７の上端の高さは半導体チップ３０の上部面より低く形成する。内部端子５３及び第１導電バンプ１７は、両方共に錫（Ｓｎ）、鉛（Ｐｂ）、ニッケル（Ｎｉ）、金（Ａｕ）、銀（Ａｇ）、銅（Ｃｕ）、又はビスマス（Ｂｉ）の中の少なくとも１つの金属を含むように形成される。金型枠（図示せず）内に半導体チップ３０及び第１導電バンプ１７がボンディングされた第１基板１０をローディングする。そして、金型枠（図示せず）内にモールド膜形成用流動性樹脂液を供給した後、硬化させてモールド膜１８を形成する。この時、半導体チップ３０の上部面が金型枠と接するようにしてモールド膜１８が第１基板１０と半導体チップ３０との側面を覆い、半導体チップ３０の上部面を露出させるように形成する。モールド膜１８の上部面は半導体チップ３０の上部面と共面をなす。
【００３３】
図１０を参照すると、金型枠から第１基板１０をアンローディングする。レーザーを利用してモールド膜１８を一部除去して上部に複数の第１及び第２リセス領域（１８ｒ１、１８ｒ２）を形成すると同時に（図５参照）第１〜第３突出部（１８ｐ１、１８ｐ２、１８ｐ３）及びチップ分離突出部１８ｉを形成する。第１〜第３突出部（１８ｐ１、１８ｐ２、１８ｐ３）の上部面は半導体チップ３０の上部面と共面をなす。第１リセス領域１８ｒ１は第１〜第３突出部（１８ｐ１、１８ｐ２、図５の１８ｐ３）の間に形成される。第１リセス領域１８ｒ１が垂直断面図で分離されるように示したが、このような第１リセス領域１８ｒ１は最も大きい単一リセス（例えば、図１に示したように実質的に環形状の部分のように）の一部である。第２リセス領域１８ｒ２は隣接する第２突出部１８ｐ２の間に形成される。従って、モールド膜１８の第１及び第２リセス領域（１８ｒ１、１８ｒ２）の各表面はモールド膜１８の上部面よりも表面粗さが粗くなる。第１〜第３突出部（１８ｐ１、１８ｐ２、１８ｐ３）は図１〜図５を参照して説明したものと同様に形成される。第２及び第３突出部（１８ｐ２、１８ｐ３）は隣接して形成される第１導電バンプ１７（その後に形成される導電連結部材５９）の形状に沿う側壁を有するように形成される（図１及び図５参照）。図１に示したように、インターポーザＩＰを第１基板１０上に置く際に、インターポーザＩＰを位置させるために助けとなる第２及び第３突出部（１８ｐ２、１８ｐ３）に隣接する導電連結部材５９に関して、第２及び第３突出部（１８ｐ２、１８ｐ３）に隣接する導電連結部材５９と第２及び第３突出部（１８ｐ２、１８ｐ３）の側壁との間の空間は一定に形成される。第１導電バンプ１７の一列に隣接するように形成される際（及び、後に導電連結部材５９に隣接する）、第２突出部１８ｐ２の側壁は、（上部平面図において）隣接する第１導電バンプ１７の位置に対応する波の谷と、列の第１導電バンプ１７（後の導電連結部材５９）の間の位置に対応する波の頂点とを有する波形状を有する。第１突出部１８ｐ１は半導体チップ３０の側面を保護する。即ち、レーザーでモールド膜１８の一部を除去する際に、仮に半導体チップ３０の側面が露出されると、レーザーによって半導体チップ３０の側面も損傷する可能性があるが、半導体チップ３０の側面から第１突出部１８ｐ１で離隔されてモールド膜１８の除去工程が進行されるため、半導体チップ３０の側面の損傷を防止することができる。
【００３４】
図１１を参照すると、レーザーを利用して（図１０の構造に対して）第１リセス領域１８ｒ１の底下のモールド膜１８を一部除去して対応する第１導電バンプ１７を各々露出させる複数のホール１８ｈを形成する。また、ホール分離部１８ｆもホール１８ｈの間に形成される。ホール１８ｈもレーザーを利用して形成されるため、第１及び第２リセス領域（１８ｒ１、１８ｒ２）の表面と実質的に同一の表面の粗さを有するように形成される。
【００３５】
製造方法の変形例として、モールド膜１８は（モールド膜１８に対応する形態を有する）モールドフレームを使用して形成される。（例えば、図１〜図５に示した）モールド膜１８の構造がレーザーを利用して形成されずに金型枠によって形成される場合、モールド膜１８の全ての表面の粗さは位置に関係なく同一又は類似である。この変形例では、流動性樹脂をモールドフレーム内に注入して樹脂を硬化させた後、第１導電バンプが第１下部導電パッド上に形成される。
【００３６】
ホール１８ｈが形成されて（ホール１８ｈの側壁を形成する）ホール分離部１８ｆの側壁１８ｆｓは第１導電バンプ１７の上部面上に延長される。ホール分離部１８ｆの上部面１８ｆｕは第１導電バンプ１７の上部面よりも高い。このようにした上、リフロー工程を後続的に進行させて第１導電バンプ１７と第２導電バンプ５７（例えば、以下で説明するように）との接触対を統合する（ｍｅｒｇｅ）。意図しない隣接する第１導電バンプ１７又は第２導電バンプ５７との接触を回避するためにこのようなリフロー工程が行われる。従って、導電連結部材５９の間の間隔が小さいため、半導体パッケージ１００の大きさを減少させることの助けとなり、より多くの外部端子２２が半導体パッケージ１００に具現される。例えば、一定間隔に離隔された導電連結部材５９のピッチ（ｐｉｔｃｈ）は導電連結部材５９の水平幅（Ｗｃｍ）の１．５倍以下である。
【００３７】
このような小さいピッチは垂直に延長された（例えば、その水平幅Ｗｃｍと同一であるか、又はより大きい高さを有する）導電連結部材５９としても具現される。一部の例で、第１リセス領域１８ｒ１はインターポーザＩＰの下部面と第１基板１０の上部面との間の距離の１／２より小さい（後続で形成される導電連結部材５９の高さに対応する）深さに形成されてホール分離部１８ｆのそのような側壁１８ｆｓを形成する。
【００３８】
図１２、図１３（Ａ）、図１３（Ｂ）、及び図１４を参照すると、インターポーザＩＰを準備する。インターポーザＩＰの第２下部導電パッド５２には各々第２導電バンプ５７がボンディングされる。第２導電バンプ５７は、規則的な間隔をおいて配列され、第１導電バンプ１７の配列に対応する（例えば、ミラー対称配列を有する）。各々のインターポーザＩＰは各々の半導体チップ３０に重畳する位置で第１〜第３突出部（１８ｐ１、１８ｐ２、１８ｐ３）に接するように位置させる。この際、第１〜第３突出部（１８ｐ１、１８ｐ２、１８ｐ３）はインターポーザＩＰを支持する支持台の役割をする。例えば、第１〜第３突出部（１８ｐ１、１８ｐ２、１８ｐ３は）対応するインターポーザＩＰ（例えば、図１３（Ａ）参照）の下部面に接触して各々のインターポーザＩＰを支持する。一部の例で、単一の連続インターポーザ（例えば、図１２及び図１３（Ａ）に示す個別インターポーザＩＰを連結する連結部を含む単一の連続インターポーザ）は、第１〜第３突出部（１８ｐ１、１８ｐ２、１８ｐ３）に接触し（例えば、ここで説明するように、基板１０をカッティングしてチップ領域を分離させる部分に）、その後にカッティングされて、図１２及び図１３（Ａ）に示すように分離された個別のインターポーザＩＰが提供される。第２導電バンプ５７は対応する第１導電バンプ１７に接触する。その後、熱を加えてリフロー工程を進行し、第１導電バンプ１７と第２導電バンプ５７とを単一構造に統合して（ｍｅｒｇｅ）導電連結部材５９を形成する（図１４参照）。この際、インターポーザＩＰの曲がりを防止するために治具（ｊｉｇ）７０を使用してインターポーザＩＰを下に押した状態で（図１３（Ａ）参照）リフロー工程を進行する。
【００３９】
図１３（Ｂ）は第２及び第３突出部（１８ｐ２、１８ｐ３）が無い比較例である。
【００４０】
リフロー工程を進行する前に、第１及び第２導電バンプ（１７、５７）の表面が丸いため、治具７０の力によって、図１３（Ｂ）のようにインターポーザＩＰが横に（例えば、第１方向Ｄ１）摺動する。仮に第２及び第３突出部（１８ｐ２、１８ｐ３）が無いと、インターポーザＩＰが定位置から逸脱して、導電バンプ１７が望まない第２導電バンプ５７に接することになって（又は、リフロー工程の間に連結されて）（例えば、意図した第２導電バンプ５７に隣接する第２導電バンプ５７が接する）不良が発生する。第２及び第３突出部（１８ｐ２、１８ｐ３）は、インターポーザＩＰの前後左右の複数の水平方向、例えば第１方向Ｄ１（図１３（Ａ）の左側又は右側）及び第２方向Ｄ２（図１３（Ａ）の手前側と向こう側、図１参照）の前後左右への摺動を防止し、半導体パッケージを形成する際に、半導体パッケージの不良率を減らして収率を向上させる。幾つかの例において（例えば、図１及び図２参照）、１つ以上の第２突出部１８ｐ２は平面的に‘Ｌ’字形状を有し、第１基板１０の４つの角（コーナー）部分に隣接するように（例えば、図１５の領域（Ａ）参照）配置されてインターポーザＩＰの第１方向Ｄ１及び第２方向Ｄ２への摺動を防止する。導電連結部材５９は１つ以上の“Ｌ”字形状の突出部１８ｐ２の内角に隣接して位置するコーナーを含むアレイの境界を有する２次元アレイに形成される。導電連結部材の規則的な間隔は、アレイの境界内の全体領域を通じて連続する必要は無く、（例えば、半導体チップ３０の配置のために）より大きい間隔を提供するために中断される。第３突出部１８ｐ３は第２方向Ｄ２に互いに対向する第１基板１０のチップ領域の縁に沿って配置されてインターポーザＩＰの第２方向Ｄ２への摺動を防止する。
【００４１】
例えば、インターポーザが第１基板上に配置される際、第２突出部１８ｐ２（及び／又は第３突出部１８ｐ３）は第２導電バンプ５７の中の最も外側方の２つの第２導電バンプ５７の間の距離に相関するこれらの間の水平間隔を有するように形成されて第２導電バンプ５７が水平方向に不正確に位置することを防止する。例えば、図１３（Ａ）を参照すると、第２突出部１８ｐ２（及び／又は第３突出部１８ｐ３）の間の距離は第１距離Ｓ１である。第２導電バンプ５７の中の最も外側方の２つの導電バンプの間（中心から中心まで）の距離は第２距離Ｓ２で離隔される。そして、第１距離Ｓ１と第２距離Ｓ２との間の差は第２導電バンプ５７の幅（図１３（Ａ）で、球形で提供される場合に第２導電バンプ５７の直径ＷＢに相応する水平幅）の３倍よりも小さい（例えば、最外郭の第２導電バンプ５７に隣接する第２又は第３突出部（１８ｐ２、１８ｐ３）の間の第２導電バンプ５７の幅以下の空間を残す）。第１距離Ｓ１と第２距離Ｓ２との差は第２導電バンプ５７の幅の５０％以下の空間を残すように第２導電バンプ５７の水平幅の２倍よりも小さい。突出部（１８ｐ１、１８ｐ２、１８ｐ３）によって定義された第１リセス領域１８ｒ１内に第２導電バンプ５７のアレイの突出部を嵌め込むことによって、インターポーザＩＰのより良好な位置設定を提供するように小さい間隔が具現される。例えば、第２又は第３突出部（１８ｐ２、１８ｐ３）に隣接するように位置する第２導電バンプ５７の中の最も外側方の第２導電バンプ５７の間の間隔は第２導電バンプ５７の幅の２０％以下である。第２及び／又は第３突出部（１８ｐ２及び／又は１８ｐ３）の多様な対は、ここに言及する通り、第１方向Ｄ１及び第２方向Ｄ２に離隔されてそれらの間に位置する第２導電バンプ５７の中の最も外側方の第２導電バンプ５７の間隔に関連する水平間隔を有する。
【００４２】
図１４を参照して説明するリフロー工程を遂行した後、その間に位置する最も外側方の第２導電バンプ５７の位置に対する一対の突出部（１８ｐ２及び／又は１８ｐ３）の間の間隔及び幅は、導電連結部材５９の位置設定に対する間隔及び導電連結部材５９の幅と実質的に同一であり、これは本発明の多様な実施形態の範囲内にあるものと理解されなければならない。図８及び図１４を参照すると、例えば図１の第２突出部１８ｐ２に隣接して位置する導電連結部材５９は第２突出部１８ｐ２からＳ３距離で離隔され（図８参照）、これは導電連結部材５９の幅Ｗｃｍよりも小さく、望ましくは幅Ｗｃｍの５０％以下であり、より望ましくは幅Ｗｃｍの２０％以下である。
【００４３】
このような対の第２導電バンプ５７の間に位置する隣接する対の突出部である第２導電バンプ５７の対の間隔の間の類似な関係で類似な結果が達成されることを理解すべきである。第２導電バンプ５７、導電連結部材５９、及び突出部に関する位置及び間隔の細部事項を含むこれらに対する代案は同様に適用可能であるが、導電連結部材５９に隣接する突出部が更に第３突出部１８ｐ３を含む場合、第２距離Ｓ２は第１距離Ｓ１を超過する。
【００４４】
図１４を参照すると、モールド膜１８の主要部１８ｍとインターポーザＩＰとの間の空間にアンダーフィル樹脂膜２０用樹脂液を供給して満たし、硬化してアンダーフィル樹脂膜２０を形成する。アンダーフィル樹脂膜２０用樹脂液は毛細管現象によってモールド膜１８の主要部１８ｍとインターポーザＩＰとの間の空間及びホール１８ｈ内に浸透する。モールド膜１８の主要部１８ｍの上部面の高さが第１〜第３突出部（１８ｐ１、１８ｐ２、１８ｐ３）の上部面と高さが同一であるため、仮にモールド膜１８の主要部１８ｍとインターポーザＩＰとの間の空間が無いと、アンダーフィル樹脂膜２０用樹脂液の流れが困難になり、樹脂液がホール１８ｈを満たすことが困難になる。従って、ホール１８ｈ内及び半導体パッケージ１００内にボイドが発生する確率が増加する。このようなボイドが発生すると、ここに湿気や工程の副産物が残留するため、半導体パッケージの信頼性を低下させる。しかし、本実施形態ではモールド膜１８の主要部１８ｍとインターポーザＩＰとの間の空間（又は第１リセス領域１８ｒ１）によってアンダーフィル樹脂膜２０用樹脂液の流れが円滑になってボイドの発生する確率を顕著に減少させることができる。高さが減少した主要部１８ｍの大きさ及び位置は、樹脂溶液の流れを容易にして、アンダーフィル樹脂膜２０を形成する時に樹脂溶液の流れのための流動チャンネルを提供する。例えば、主要部１８ｍは半導体パッケージ１００の中間付近の位置に形成されて半導体チップ３０に隣接する。導電連結部材５９が形成されない主要部１８ｍ上に形成されたリセス領域１８ｒ１の部分の大きさは、少なくとも導電連結部材５９の幅であり、例えば導電連結部材５９の幅の１．５倍又はそれ以上である。導電連結部材５９が形成されない主要部１８ｍ上に形成されたリセス領域１８ｒ１の部分の大きさは、隣接する導電連結部材５９の間の最小間隔よりも相当に大きく、例えばその間隔の２倍又は３倍以上大きい。同様に、ホール分離部１８ｆの高さをインターポーザＩＰの底より低くすると、ホール分離部１８ｆとインターポーザＩＰとの間隔によって樹脂溶液が十分に流れるようになって（例えば、ホール分離部１８ｆの上部上に）アンダーフィル樹脂膜２０を形成する時にボイドが生成される可能性を低下させるが、本明細書で言及するように、第１導電バンプ１７の高さよりも高く分離部１８ｆの高さを維持することは導電連結部材５９の密集する配列を提供するために望ましい。従って、分離部１８ｆの高さ（及び分離部１８ｆの上面１８ｆｕに対応する高さ）は、低く形成されるが、導電連結部材５９の高さの１／２以上、望ましくは導電連結部材５９の高さの５０％から７５％の間、より望ましくは導電連結部材５９の高さの５５％から６５％の間になる。これにより、半導体パッケージの信頼性が向上する。
【００４５】
後続的に、図１５及び図２を参照すると、第１下部導電パッド１２にソルダボールのような外部端子２２をボンディングする。その後、シンギュレーション工程を進行してチップ領域Ａを除外した縁領域Ｂをレーザー等により除去して個別の半導体パッケージ１００を形成する。この時、チップ分離突出部１８ｉも除去される。
【００４６】
図１６は、本発明の第２実施形態による半導体パッケージの平面図であり、図１７は、図１６の半導体パッケージの上部斜視図である。
【００４７】
図１６及び図１７を参照すると、本実施形態による半導体パッケージ１０１では第２突出部１８ｐ２が互いに離隔された第１サブ突出部１８ｐ２ａ、第２サブ突出部１８ｐ２ｂ、及び第３サブ突出部１８ｐ２ｃを含む。第１サブ突出部１８ｐ２ａは第１基板１０の各角部分に隣接するように配置される。第２サブ突出部１８ｐ２ｂは各々第１サブ突出部１８ｐ２ａの両横に隣接するように配置される。第３サブ突出部１８ｐ２ｃは各々第２サブ突出部１８ｐ２ｂに隣接するように配置される。第１〜第３サブ突出部（１８ｐ２ａ、１８ｐ２ｂ、１８ｐ２ｃ）を連結すると、平面的に‘Ｌ’字形状を有する。第１サブ突出部１８ｐ２ａと第２サブ突出部１８ｐ２ｂとの間の空間は第１ベント（ｖｅｎｔ）領域１８ｖ１に対応する。第２サブ突出部１８ｐ２ｂと第３サブ突出部１８ｐ２ｃとの間の空間は第２ベント領域１８ｖ２に対応する。このような第１及び第２ベント領域（１８ｖ１、１８ｖ２）は図１４のアンダーフィル樹脂膜２０を形成する工程でアンダーフィル樹脂膜２０用樹脂液の流れをより円滑にして第２突出部１８ｐ２に隣接する領域にボイドが形成されることを防止する。従って、半導体パッケージの信頼性を向上させることができる。アンダーフィル樹脂膜２０用樹脂液の円滑な流れのために第１及び第２ベント領域（１８ｖ１、１８ｖ２）の第１幅Ｗ１は望ましくは約１５μｍ以上である。例えば第１幅Ｗ１は約１５μｍ〜８０μｍである。
【００４８】
図１８は、本発明の第３実施形態による半導体パッケージの平面図であり、図１９は、図１８のＩＩＩ−ＩＩＩ’線に沿って切断した断面図である。
【００４９】
図１８及び図１９を参照すると、本実施形態による半導体パッケージ１０２では４つの導電連結部材５９が各々第１基板１０の４つの側壁の中心部分に隣接するように配置される。説明の簡易化のために４つの導電連結部材５９のみを図示したが、追加的な導電連結部材５９が他の実施形態に関連して提供され得る。モールド膜１８は、主要部１８ｍ、ホール１８ｈ、及び第２突出部１８ｐ２を含む。本実施形態で第２突出部１８ｐ２は平面的に‘Ｃ’形状を有する。第２突出部１８ｐ２は導電連結部材５９に隣接して半導体パッケージ１０２の製造工程でインターポーザＩＰの第１方向Ｄ１及び第２方向Ｄ２への摺動を防止する。また、半導体チップ３０の上部面はインターポーザＩＰに接せずに離隔される。半導体チップ３０の上部面の高さは主要部１８ｍの上部面の高さと同一である。主要部１８ｍは半導体チップ３０の側面を保護する。アンダーフィル樹脂膜２０は半導体チップ３０とインターポーザＩＰとの間に介在する。それ以外の構造及び製造方法は図１〜図１５を参照して説明したものと同一又は類似である。
【００５０】
図２０は、本発明の第４実施形態による半導体パッケージの平面図である。
【００５１】
図２０を参照すると、本実施形態による半導体パッケージ１０３では４つの連結部材５９が各々第１基板１０の４つの角に隣接するように配置される。モールド膜１８は主要部１８ｍ、ホール１８ｈ、及び第２突出部１８ｐ２を含む。説明の簡易化のために４つの導電連結部材５９のみを図示したが、追加的な導電連結部材５９が他の実施形態に関連して提供され得る。本実施形態で第２突出部１８ｐ２は平面的に‘Ｌ’字形状を有する。第２突出部１８ｐ２は導電連結部材５９に隣接して半導体パッケージ１０２の製造工程でインターポーザＩＰの第１方向Ｄ１及び第２方向Ｄ２への摺動を防止する。それ以外の構造は図１８及び図１９を参照して説明したものと同一又は類似する。
【００５２】
図２１は、本発明の第５実施形態による半導体パッケージの平面図である。
【００５３】
図２１を参照すると、本実施形態による半導体パッケージ１０４ではＳｉＰ（Ｓｙｓｔｅｍ  ｉｎ  Ｐａｃｋａｇｅ）構造のように、第１基板１０上に複数の半導体チップ（３０ａ、３０ｂ）が実装され、同じ半導体パッケージ１０４内に共にパッケージされる。半導体チップ（３０ａ、３０ｂ）は互いに異なる種類であってもよい（例えば、メモリチップとメモリコントローラチップ、又は揮発性メモリチップと不揮発性メモリチップのような異なる種類のメモリチップ）。第１基板１０の４つの側壁に沿って複数の連結部材５９が一列に配置される。第２突出部１８ｐ２は第１基板１０の４つの角に各々隣接するように配置される連結部材に隣接するように配置される。第２突出部１８ｐ２は平面的に‘Ｌ’字形状を有する。本実施形態によるモールド膜１８は主要部１８ｍ、ホール１８ｈ、第１突出部１８ｐ１、及び第２突出部１８ｐ２を含む。本実施形態で第１基板１０上に２つの半導体チップ（３０ａ、３０ｂ）が実装されたが、半導体チップ（３０ａ、３０ｂ）の実装数はこれに限定されず、３つ以上であってもよい。それ以外の構成は図１〜図５を参照して説明したものと同一又は類似である。
【００５４】
図２２は、本発明の第６実施形態による半導体パッケージの断面図である。
【００５５】
図２２を参照すると、本実施形態による半導体パッケージ１０５は下部パッケージＬＰ上に上部パッケージＵＰが実装されたパッケージオンパッケージ（Ｐａｃｋａｇｅ  ｏｎ  Ｐａｃｋａｇｅ）構造を有する。上部パッケージＵＰでは第２基板５０の第３上部導電パッド５４上に上部半導体チップ８０がフリップチップボンディング方式で実装される。第２基板５０は上部モールド膜８２で覆われる。それ以外の構成は図１〜図５を参照して説明したものと同一又は類似である。
【００５６】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００５７】
１０    第１基板
１０ａ    基板コア
１１ａ    第１下部絶縁膜
１１ｂ    第１上部絶縁膜
１２    第１下部導電パッド
１４ａ    第１上部導電パッド
１４ｂ    第２上部導電パッド
１７、５７    第１、第２導電バンプ
１８    モールド膜
１８ｆ    ホール分離部
１８ｆｓ    ホール分離部の側壁
１８ｆｕ    ホール分離部の上部面
１８ｈ    ホール
１８ｉ    チップ分離突出部
１８ｍ    主要部
１８ｍｓ    主要部の側壁
１８ｍｕ    主要部の上部面
１８ｐ１、１８ｐ２、１８ｐ３    第１〜第３突出部
１８ｐ１ｓ、１８ｐ２ｓ、１８ｐ３ｓ    第１〜第３突出部の側壁
１８ｐ１ｕ、１８ｐ２ｕ、１８ｐ３ｕ    第１〜第３突出部の上部面
１８ｐ２ａ、１８ｐ２ｂ、１８ｐ２ｃ    第１〜第３サブ突出部
１８ｒ１、１８ｒ２    第１、第２リセス領域  １８ｖ１、１８ｖ２    第１、第２ベント領域
２０    アンダーフィル樹脂膜
２２    外部端子
３０、３０ａ、３０ｂ    半導体チップ
５０    第２基板
５１ａ    第２下部絶縁膜
５１ｂ    第２上部絶縁膜
５２    第２下部導電パッド
５３    内部端子（導電バンプ）
５４    第３上部導電パッド
５９    導電連結部材
７０    治具
８０    上部半導体チップ
８２    上部モールド膜
１００、１０１、１０２、１０３、１０４、１０５    半導体パッケージ
ＩＰ    インターポーザ
ＬＰ    下部パッケージ
ＵＰ    上部パッケージ
【図１】
2019021923.tif 000003
【図２】
2019021923.tif 000004
【図３】
2019021923.tif 000005
【図４】
2019021923.tif 000006
【図５】
2019021923.tif 000007
【図６】
2019021923.tif 000008
【図７】
2019021923.tif 000009
【図８】
2019021923.tif 000010
【図９】
2019021923.tif 000011
【図１０】
2019021923.tif 000012
【図１１】
2019021923.tif 000013
【図１２】
2019021923.tif 000014
【図１３】
2019021923.tif 000015
【図１４】
2019021923.tif 000016
【図１５】
2019021923.tif 000017
【図１６】
2019021923.tif 000018
【図１７】
2019021923.tif 000019
【図１８】
2019021923.tif 000020
【図１９】
2019021923.tif 000021
【図２０】
2019021923.tif 000022
【図２１】
2019021923.tif 000023
【図２２】
2019021923.tif 000024